【手続補正書】
【提出日】平成25年1月23日(2013.1.23)
【手続補正１】
【補正対象書類名】明細書
【補正対象項目名】００１１
【補正方法】変更
【補正の内容】
【００１１】
洗剤組成物は、通常、アルミニウムヒドロキシカルボキシレート、アルカリ源、および任意選択的に、界面活性剤または界面活性剤系を含む。界面活性剤または界面活性剤系が洗剤組成物中に含まれる場合、洗剤組成物中の成分の好適な濃度範囲は、約１ｗｔ％〜約６０ｗｔ％のアルミニウムヒドロキシカルボキシレート、約５ｗｔ％〜約８０ｗｔ％のアルカリ源および約０．０１ｗｔ％〜約５０ｗｔ％の界面活性剤または界面活性剤系を含む。洗剤組成物中における成分の特に好適な濃度範囲は、約１ｗｔ％〜約４５ｗｔ％のアルミニウムヒドロキシカルボキシレート、約２０ｗｔ％〜約７５ｗｔ％のアルカリ源および約０．５ｗｔ％〜約４０ｗｔ％の界面活性剤または界面活性剤系を含む。
【手続補正２】
【補正対象書類名】明細書
【補正対象項目名】００１２
【補正方法】変更
【補正の内容】
【００１２】
いくつかの態様において、この洗剤組成物は、界面活性剤または界面活性剤系を含まず、そしてアルミニウムヒドロキシカルボキシレート、アルカリ源、および水のみを含む。洗剤組成物における成分の好適な濃度範囲は、約０．０１ｗｔ％〜約６０ｗｔ％のアルミニウムヒドロキシカルボキシレート、約０．８ｗｔ％〜約９０ｗｔ％のアルカリ源および約１ｗｔ％〜約９９．５ｗｔ％の水を含む。洗剤組成物における成分の特に好適な濃度範囲は、約０．０１ｗｔ％〜約３０ｗｔ％のアルミニウムヒドロキシカルボキシレート、約１０ｗｔ％〜約５０ｗｔ％のアルカリ源および約１０ｗｔ％〜約８０ｗｔ％の水を含む。洗剤組成物における成分のさらに特に好適な濃度範囲は、約０．０１ｗｔ％〜約５ｗｔ％のアルミニウムヒドロキシカルボキシレート、約４０ｗｔ％〜約４８ｗｔ％のアルカリ源および約４０ｗｔ％〜約６０ｗｔ％の水を含む。
【手続補正３】
【補正対象書類名】明細書
【補正対象項目名】００６０
【補正方法】変更
【補正の内容】
【００６０】
有効量のアルカリ金属ケイ酸塩またはそれらの水和物は、本発明の組成物および工程において用いられ、金属保護能力を有する安定な固体洗剤組成物を生成することができる。本発明の組成物において用いることのできるケイ酸塩は、通常、固体洗剤調合物中で使用されてきたものである。例えば、典型的なアルカリ金属ケイ酸塩は、無水または好ましくは水和水（約５ｗｔ％〜約２５ｗｔ％、特に約１５ｗｔ％〜約２０ｗｔ％の水和水）のいずれかであるこれらの粉末化、粒子状または粒状ケイ酸塩である。これらのケイ酸塩は、好ましくはケイ酸ナトリウムであり、そしてそれぞれ約１：１〜約１：５のＮａ２Ｏ：ＳｉＯ２比を有し、そして典型的には水約５ｗｔ％〜約２５ｗｔ％の量で利用できる水を含む。通常、ケイ酸塩は、約１：１〜約１：３．７５、特に約１：１．５〜約１：３．７５および最も特に約１：１．５〜約１：２．５のＮａ２Ｏ：ＳｉＯ２比を有する。約１：２のＮａ２Ｏ：ＳｉＯ２比および約１６ｗｔ％〜約２２ｗｔ％の水和の水を有するケイ酸塩が最も好ましい。例えば、そうしたケイ酸塩は、ＧＤケイ酸塩としての粉末形態およびＰＱ Ｃｏｒｐｏｒａｔｉｏｎ、 Ｖａｌｌｅｙ Ｆｏｒｇｅ、 ＰＡから入手可能であるＢｒｉｔｅｓｉｌ Ｈ−２０（商標）としての粒状形態で入手可能である。これらの比は、単一のケイ酸塩組成物または組み合わせにより好ましい比となるケイ酸塩の組み合わせでえることができる。好ましい比での水和したケイ酸塩、約１：１．５〜約１：２．５のＮａ２Ｏ：ＳｉＯ２比は、最適な金属保護を提供し、そして急速に固体洗剤を生成することが見いだされた。水和したケイ酸塩は、好ましい。
【手続補正４】
【補正対象書類名】特許請求の範囲
【補正対象項目名】全文
【補正方法】変更
【補正の内容】
【特許請求の範囲】
【請求項１】
（ａ）アルミニウム塩と、
（ｂ）ヒドロキシカルボキシレートと、
（ｃ）アルカリ源と、
を含んで成る、汚れを除去するためのクリーニング組成物であって、
（ｄ）該クリーニング組成物の該ｐＨが、約９〜約１４である、クリーニング組成物。
【請求項２】
該アルミニウム塩および該ヒドロキシカルボキシレートが組み合わさって、アルミニウムヒドロキシカルボキシレートを生成する、請求項１に記載のクリーニング組成物。
【請求項３】
該アルミニウムヒドロキシカルボキシレートが、グルコン酸アルミニウム、グルコヘプトン酸アルミニウム、アルミニウムムケート、酒石酸アルミニウム、グルカル酸アルミニウム、アルミニウムサッカレートおよびリンゴ酸アルミニウムの１種を含む、請求項２に記載のクリーニング組成物。
【請求項４】
該アルミニウムヒドロキシカルボキシレートが、グルコン酸アルミニウムを含む、請求項２に記載のクリーニング組成物。
【請求項５】
該グルコン酸アルミニウムが、グルコン酸：アルミン酸ナトリウム＝約０．５：１．５〜約１．５：０．５のモル比を有する、請求項４に記載のクリーニング組成物。
【請求項６】
界面活性剤をさらに含む、請求項１に記載のクリーニング組成物。
【請求項７】
該アルミニウムヒドロキシカルボキシレートが、ヒドロキシカルボキシレートのアルカリ金属塩または遊離ヒドロキシカルボン酸：アルカリ金属水酸化物を用いて溶解したアルミニウム塩＝約４０：６０〜約９５：１の重量比を有する、請求項２に記載のクリーニング組成物。
【請求項８】
（ａ）洗剤組成物の約０．８ｗｔ％〜約９０ｗｔ％を構成するアルカリ源と、
（ｂ）洗剤組成物の約０．０１ｗｔ％〜約６０ｗｔ％を構成するアルミニウムヒドロキシカルボキシレートと
を含んで成る、洗剤組成物であって、
該アルミニウムヒドロキシカルボキシレートが、グルコン酸アルミニウム、グルコヘプトン酸アルミニウム、アルミニウムムケート、酒石酸アルミニウム、グルカル酸アルミニウム、アルミニウムサッカレートおよびリンゴ酸アルミニウムの１種を含む、洗剤組成物。
【請求項９】
該アルミニウムヒドロキシカルボキシレートが、グルコン酸アルミニウムを含み、そして該グルコン酸アルミニウムが、グルコン酸：アルミン酸ナトリウム＝約０．５：１．５〜約１．５：０．５のモル比を有する、請求項８に記載の洗剤組成物。
【請求項１０】
該アルミニウムヒドロキシカルボキシレートが、ヒドロキシカルボキシレートのアルカリ金属塩または遊離ヒドロキシカルボン酸：アルカリ金属水酸化物を用いて溶解したアルミニウム塩＝約４０：６０〜約９５：１の重量比を有する、請求項８に記載の洗剤組成物。
【請求項１１】
該洗剤組成物が、約１０ｗｔ％未満のＮＴＡおよびＥＤＴＡを含む、請求項８に記載の洗剤組成物。
【請求項１２】
該洗剤組成物が、約１０ｗｔ％未満のリン含有化合物を含む、請求項８に記載の洗剤組成物。
【請求項１３】
該洗剤組成物が、約１０ｗｔ％未満のスルホン化または硫酸化界面活性剤を含む、請求項８に記載の洗剤組成物。
【請求項１４】
該洗剤組成物の約０．０１ｗｔ％〜約５０ｗｔ％を構成する界面活性剤系をさらに含む、請求項８に記載の洗剤組成物。
【請求項１５】
汚れを除去するための方法であって、該方法が、
（ａ）（ｉ）アルカリ源と、
（ｉｉ）ヒドロキシカルボキシレートのアルカリ金属塩または遊離ヒドロキシカルボン酸およびアルカリ金属水酸化物を用いて溶解したアルミニウム塩から生成されたアルミニウムヒドロキシカルボキシレートと、
を含む洗剤組成物を用意する工程と、
（ｂ）該洗剤組成物と、クリーニングされる基材とを接触させる工程とを含んで成る、方法。
【請求項１６】
該洗剤組成物が、界面活性剤系をさらに含む、請求項１５に記載の方法。
【請求項１７】
洗剤組成物を提供する工程が、該アルミニウムヒドロキシカルボキシレートと別に、該アルカリ源と該界面活性剤系とを混合する工程を含む、請求項１６に記載の方法。
【請求項１８】
該アルミニウムヒドロキシカルボキシレートが、ヒドロキシカルボキシレートのアルカリ金属塩または遊離ヒドロキシカルボン酸：アルカリ金属水酸化物を用いて溶解したアルミニウム塩＝約４０：６０〜約９５：１の重量比を有する、請求項１５に記載の方法。
【請求項１９】
使用溶液を生成させるために、約１：１０〜約１：１０、０００の希釈比で、該洗剤組成物を希釈する工程を更に含む、請求項１５に記載の方法。
【請求項２０】
使用溶液が、約４００百万分の１未満のアルミニウムヒドロキシカルボキシレート濃度を有する、請求項１９に記載の方法。